(57)【要約】【課題】使用者の設定操作の負担を増加させることなく、設定開始からジョブ完了までの所要時間を減らす。【解決手段】画像形成装置は、セットされた原稿を読み取る読取ユニット、原稿のセットを検知するセット検知部、表示パネル、操作部、記憶部、制御部、ジョブ実行部を含む。読取ユニットへの原稿セットを認識したとき、制御部は、読取ユニットにセットされた原稿を読み取る先行読取を読取ユニットに行わせる。制御部は、先行読取により得られた画像データである先読画像データを記憶部に記憶させる。制御部は、操作部で選択されたジョブの種類に応じた設定画面を表示パネルに表示させる。【選択図】図９
2019009689.tif 000002
【特許請求の範囲】
【請求項１】
セットされた原稿を順次読み取り、画像データを生成する読取ユニットと、
原稿のセットを検知するセット検知部と、
画面、画像を表示する表示パネルと、
使用者の操作を受け付ける操作部と、
データを記憶する記憶部と、
制御を行う制御部と、
ジョブを実行するジョブ実行部と、を含み、
前記セット検知部の出力に基づき、前記制御部が前記読取ユニットへの原稿セットを認識したとき、
前記制御部は、前記読取ユニットにセットされた原稿を読み取る先行読取を前記読取ユニットに行わせ、前記先行読取により得られた画像データである先読画像データを前記記憶部に記憶させ、
前記操作部は、前記先行読取の開始後、前記先読画像データを用いて実行するジョブの種類を選択する操作を受け付け、
前記制御部は、前記操作部で選択されたジョブの種類に応じた設定画面を前記表示パネルに表示させ、
前記操作部がジョブの実行開始指示を受け付けたとき、前記制御部は、前記先読画像データに基づくジョブを前記ジョブ実行部に実行させることを特徴とする画像形成装置。
【請求項２】
前記先行読取が開始されたとき、
前記制御部は、画像データとして前記記憶部に記憶された文書を並べた文書一覧画面を前記表示パネルに表示させ、
前記文書一覧画面で前記先行読取に対応する文書が選択されたとき、
前記制御部は、ボックス機能画面を前記表示パネルに表示させ、前記ボックス機能画面内に、前記先読画像データに含まれる各ページを縮小したページ画像を１又は複数枚、表示させることを特徴とする請求項１に記載の画像形成装置。
【請求項３】
前記制御部は、前記ボックス機能画面内に前記先読画像データを用いて実行するジョブの種類を選択するための種類選択画像を表示させ、
操作された前記種類選択画像に対応するジョブの設定画面を前記表示パネルに表示させることを特徴とする請求項２に記載の画像形成装置。
【請求項４】
前記先行読取に基づき前記文書一覧画面を表示するとき、
前記操作パネルは、前記先行読取に基づく文書以外の文書の選択を受け付けないことを特徴とする請求項２又は３に記載の画像形成装置。
【請求項５】
前記操作パネルは前記ページ画像を選択する操作を受け付け、
前記制御部は、前記先読画像データのうち、選択された前記ページ画像に対応するページの画像データに基づき、前記ジョブ実行部にジョブを実行させることを特徴とする請求項２乃至４の何れか１項に記載の画像形成装置。
【請求項６】
前記先行読取が開始されたとき、
前記制御部は、前記先読画像データを用いて実行するジョブの種類を選択するためのジョブ種類選択画面を前記表示パネルに表示させ、
前記操作部で選択されたジョブの種類に応じた設定画面を前記表示パネルに表示させ
ることを特徴とする請求項１に記載の画像形成装置。
【請求項７】
前記先行読取の開始後、前記操作部で選択された種類のジョブが開始されるまでの間、
前記制御部は、前記先読画像データを用いるジョブの設定画面以外の画面の表示を禁止することを特徴とする請求項１乃至６の何れか１項に記載の画像形成装置。
【請求項８】
前記制御部は、前記禁止の解除に関する解除条件が満たされたか否かを判定し、前記解除条件が満たされたと判定したとき、前記禁止を解除し、前記先読画像データを前記記憶部に消去させることを特徴とする請求項７に記載の画像形成装置。
【請求項９】
前記先行読取のとき、
前記読取ユニットは、セットされた原稿の両面を読み取り、原稿の両面の画像データを前記先読画像データとして生成することを特徴とする請求項１乃至８の何れか１項に記載の画像形成装置。
【請求項１０】
原稿の一面側の画像データを削除する操作が前記操作パネルになされたとき、
前記制御部は、前記先読画像データのうち、原稿の一面側の画像データの削除を前記記憶部に行わせ、
原稿の他面側の画像データを削除する操作が前記操作パネルになされたとき、
前記制御部は、前記先読画像データのうち、原稿の他面側の画像データの削除を前記記憶部に行わせることを特徴とする請求項９に記載の画像形成装置。
【発明の詳細な説明】
【技術分野】
【０００１】
本発明は、原稿の読取を行う画像形成装置に関する。
【背景技術】
【０００２】
画像形成装置には、原稿を読み取って画像データを生成するものがある。このような画像形成装置は、読み取りで得られた画像データに基づくジョブを実行できる。コピージョブの場合、画像形成装置は、読み取りで得られた画像データに基づき印刷する。そして、原稿読み取りを伴うジョブの作業時間を短くする技術の一例が特許文献１に記載されている。
【０００３】
特許文献１には、露光濃度、領域適応処理、解像度、拡大・縮小などの原稿読み取り条件に関係する第１の設定を行う第１の設定入力部と、第１の設定が終了したときに操作するための第１の設定終了キーと、コピー部数、後処理、ページ番号付与、ファクシミリ送信の相手先、画像データの送信先などの原稿読み取り条件に関係しない第２の設定を行う第２の設定入力部と、スタートキーと、原稿が置かれておりかつ第１の設定終了キーが操作されたときには第１の設定に基づいて原稿読み取りを開始して画像メモリに格納するとともに、コピーの開始、ファクシミリ送信、画像の転送は開始しない第１の制御手段と、スタートキーが操作されると、第２の設定に基づいて読み取った画像データのコピーの開始、ファクシミリ送信、画像の転送を行う第２の制御手段とを有する画像形成装置が記載されている。この構成により、原稿読み取りの設定完了後、原稿読み取りを開始し、原稿読み取り中に画像形成や画像送信に関する設定を行えるようにする。全体的な時間短縮を図る（特許文献１：請求項１、段落［０００７］）。
【先行技術文献】
【特許文献】
【０００４】
【特許文献１】特開２００３−３０４３５８号公報
【発明の概要】
【発明が解決しようとする課題】
【０００５】
通常、画像形成装置ではスタートキーが操作されると、原稿の読み取りが開始される。スタートキーは、ジョブに関する全ての設定が終わり、ジョブを開始しようとする時点で操作される。つまり、使用者がジョブに関する設定を全て行ってから原稿の読み取りが行われている。
【０００６】
原稿読み取りを伴うジョブでは、使用者の設定後、原稿読み取りが開始される。原稿読み取り完了後、読み取りで得られた画像データに基づき、印刷や送信が行われる。そのため、原稿読み取りを伴うジョブでは、設定開始からジョブ完了までの所要時間が長くなる場合があるという問題がある。
【０００７】
ここで、特許文献１記載の技術では、一部の設定が完了した時点で原稿の読み取りを開始する。そして、残りの設定を行う間に原稿の画像データを生成する。これにより、スタートキーを操作して直ぐに印刷や送信を開始できる場合がある。設定開始からジョブ完了までの所要時間を短くできる場合がある。しかし、設定を２回に分けて行う必要がある。第１段階に属する設定を行った後、第２段階に属する設定を行う。そのため、設定操作が複雑になり、使用者の負担が大きくなるおそれがある。また、原稿の読み取りが開始された後、第１段階に属する設定をやり直したい場合も設定操作が複雑になるおそれがある。
【０００８】
本発明は、上記従来技術の問題点に鑑み、使用者の設定操作の負担を増加させることなく、設定開始からジョブ完了までの所要時間を減らすことを目的としている。
【課題を解決するための手段】
【０００９】
本発明の画像形成装置は、読取ユニット、セット検知部、表示パネル、操作部、記憶部、制御部、ジョブ実行部を含む。前記読取ユニットは、セットされた原稿を順次読み取り、画像データを生成する。前記セット検知部は、原稿のセットを検知する。前記表示パネルは、画面、画像を表示する。前記操作部は、使用者の操作を受け付ける。前記記憶部は、データを記憶する。前記制御部は制御を行う。前記ジョブ実行部はジョブを実行する。前記セット検知部の出力に基づき、前記制御部が前記読取ユニットへの原稿セットを認識したとき、前記制御部は、前記読取ユニットにセットされた原稿を読み取る先行読取を前記読取ユニットに行わせる。前記制御部は、前記先行読取により得られた画像データである先読画像データを前記記憶部に記憶させる。前記操作部は、前記先行読取の開始後、前記先読画像データを用いて実行するジョブの種類を選択する操作を受け付ける。前記制御部は、前記操作部で選択されたジョブの種類に応じた設定画面を前記表示パネルに表示させる。前記操作部がジョブの実行開始指示を受け付けたとき、前記制御部は、前記先読画像データに基づくジョブを前記ジョブ実行部に実行させる。
【発明の効果】
【００１０】
本発明によれば、使用者の設定操作の負担を増加させることなく、設定開始からジョブ完了までの所要時間を減らすことができる。
【図面の簡単な説明】
【００１１】
【図１】実施形態に係る複合機の一例を示す図である。
【図２】実施形態に係る操作パネルの一例を示す図である。
【図３】実施形態に係る読取ユニットの一例を示す図である。
【図４】実施形態に係る読取ユニットの一例を示す図である。
【図５】実施形態に係る読取モード選択画面の一例を示す図である。
【図６】実施形態に係る各先行読取モードでの読み取りの流れの一例を示すフローチャートである。
【図７】実施形態に係る第１先行読取モードでの操作の流れの一例を示すフローチャートである。
【図８】実施形態に係る文書一覧画面の一例を示す図である。
【図９】実施形態に係るボックス機能画面の一例を示す図である。
【図１０】実施形態に係るプリントジョブの設定画面の一例を示す図である。
【図１１】実施形態に係る第２先行読取モードでの操作の流れの一例を示すフローチャートである。
【図１２】実施形態に係るジョブ種類選択画面の一例を示す図である。
【図１３】実施形態に係る複合機での各先行読取モードでの設定の流れの一例を示すフローチャートである。
【図１４】実施形態に係る複合機での先読画像データの自動削除の流れの一例を示すフローチャートである。
【発明を実施するための形態】
【００１２】
以下、図１〜図１４を用い、本発明の実施形態を説明する。以下では、画像形成装置として複合機１００を例に挙げ説明する。本実施の形態に記載されている構成、配置等の各要素は、発明の範囲を限定せず、単なる説明例にすぎない。
【００１３】
（複合機１００）
次に、図１、図２を用いて実施形態に係る複合機１００の一例を説明する。図１は、実施形態に係る複合機１００の一例を示す図である。図２は、実施形態に係る操作パネル４の一例を示す図である。
【００１４】
複合機１００は制御部１、読取ユニット２、記憶部３、操作パネル４、印刷部５（ジョブ実行部に相当）、通信部１４（ジョブ実行部に相当）、カードリーダー１５を含む。
【００１５】
制御部１は複合機１００の動作を制御する。制御部１は、ＣＰＵ１１、画像処理部１２を含む。記憶部３は、ＲＯＭ、ＲＡＭ、ＨＤＤを含む。記憶部３は、各種データ、制御用プログラムを記憶する。例えば、記憶部３は制御用データ、設定データ、画像データを記憶する。ＣＰＵ１１は、記憶部３に記憶されたプログラム、データに基づき複合機１００の各部（読取ユニット２、操作パネル４、印刷部５、通信部１４、カードリーダー１５）を制御する。
【００１６】
原稿読み取りを伴うジョブ（コピージョブや送信ジョブ）のとき、制御部１は、読取ユニット２に原稿の読み取りを行わせる。読取ユニット２は原稿の画像データを生成する（詳細は後述）。
【００１７】
操作パネル４は、表示パネル４１、タッチパネル４２（操作部に相当）を含む。表示パネル４１は、画面、画像を表示する。制御部１は、ジョブの設定に用いる操作画像を表示パネル４１に表示させる。操作画像は、例えば、キーやボタンである。タッチパネル４２は、表示パネル４１の上面に設けられる。タッチパネル４２はタッチ位置を認識する。
【００１８】
図２を用いて、操作パネル４を具体的に説明する。制御部１は、スタートキー４３やキャンセルキー４４を表示パネル４１に表示させる。スタートキー４３は、ジョブの実行開始指示を行うためのキーである。キャンセルキー４４は、ジョブや設定をキャンセルするためのキーである。図２は、スタートキー４３とキャンセルキー４４の他、ストップキー４５、リセットキー４６、ホームキー４７、省電力キー４８を表示する例を示している。このように、図２に示す操作パネル４は、ハードキーを含まない。なお、操作パネル４には、ハードキーを含めてもよい。
【００１９】
図２に示すように、操作パネル４の中央に切替表示領域Ｆ１が設けられる。切替表示領域Ｆ１は矩形である。使用者の操作に応じ、切替表示領域Ｆ１に表示される画面が切り替えられる。操作画像は切替表示領域Ｆ１内に表示される画面にも含まれる。例えば、設定値を設定するための操作画像が表示される。制御部１は、タッチパネル４２の出力に基づき、操作された操作画像を認識する。制御部１は使用者の操作内容（設定内容）を認識する。使用者は操作パネル４にジョブに関する設定を行える。操作パネル４は、使用者の操作を受け付ける。
【００２０】
印刷部５は、給紙部５１、用紙搬送部５２、画像形成部５３、定着部５４を含む。印刷のとき、制御部１は給紙部５１に用紙を給紙させる。制御部１は用紙を用紙搬送部５２に搬送させる。制御部１は、画像データに基づくトナー像を画像形成部５３に形成させる。制御部１は搬送される用紙へのトナー像の転写を画像形成部５３に行わせる。制御部１は、用紙に転写されたトナー像の定着を定着部５４に行わせる。制御部１は、用紙搬送部５２や定着部５４に定着後の用紙を機外に排出させる。
【００２１】
通信部１４は、コンピューター２００やファクシミリ装置３００と通信する。例えば、コンピューター２００はＰＣやサーバーである。通信部１４は、コネクタ、通信用回路、通信用メモリーを含む。通信部１４は、コンピューター２００やファクシミリ装置３００から送信された印刷用データを受信する。印刷用データは画像データやページ記述言語で記述されたデータを含む。制御部１は受信した印刷用データに基づき、印刷部５に印刷させる（プリントジョブ）。通信部１４は、画像データをコンピューター２００やファクシミリ装置３００に送信できる（送信ジョブ）。
【００２２】
カードリーダー１５は、使用者情報８を記憶したＩＤカードを読み取る装置である。カードリーダー１５は、カードリーダー１５にセットされた、または、かざされたＩＤカードから使用者情報８を読み取る。使用者情報８に基づく認証の詳細は後述する。
【００２３】
（読取ユニット２の構成）
次に、図３、図４を用いて、実施形態に係る読取ユニット２を説明する。図３、図４は、実施形態に係る読取ユニット２の一例を示す図である。
【００２４】
複合機１００の上部に読取ユニット２が設けられる。読取ユニット２は、原稿搬送部６、画像読取部７を含む。図３に示すように、原稿搬送部６は、画像読取部７の上方に設けられる。原稿搬送部６は、画像読取部７に対し上下方向に開閉する。
【００２５】
画像読取部７は、搬送読取用コンタクトガラス７１と載置読取用コンタクトガラス７２を含む。具体的に、画像読取部７の上面左側に搬送読取用コンタクトガラス７１が設けられる。画像読取部７の上面で搬送読取用コンタクトガラス７１の右側に、載置読取用コンタクトガラス７２が配される。画像読取部７は、原稿搬送部６により搬送され搬送読取用コンタクトガラス７１を通過する原稿、又は、載置読取用コンタクトガラス７２にセットされた（載置された）原稿に光を照射する。画像読取部７は、原稿で反射された光に基づき原稿を読み取る。画像読取部７は、原稿の画像データを生成する。
【００２６】
原稿搬送部６は、原稿搬送方向上流側から順に、原稿トレイ６１、原稿供給ローラー６２、原稿搬送路６３、複数の原稿搬送ローラー対６４、原稿排出ローラー対６５、原稿排出トレイ６６を含む。又、原稿搬送部６は、画像読取部７の各コンタクトガラスを上方から押さえるカバーとして機能する。
【００２７】
原稿を読み取るとき、原稿供給ローラー６２は、原稿搬送路６３に原稿を１枚ずつ送り出す。原稿トレイ６１からの原稿は、複数の原稿搬送ローラー対６４やガイドに搬送される。原稿は、搬送読取用コンタクトガラス７１の上側を通過する。この通過の際、画像読取部７に設けられた第１面読取部７３が原稿の一面（表面）の読取を行う。第１面読取部７３は、光源、レンズ、イメージセンサーを含む。また、画像読取部７は、第１データ生成部７４を含む。第１データ生成部７４はＡ／Ｄ変換回路を含む。第１データ生成部７４は、第１面読取部７３のイメージセンサーのアナログ出力信号に基づき、一面の画像データを生成する。記憶部３は第１データ生成部７４が生成した画像データを記憶する。
【００２８】
また、原稿搬送路６３の途中に第２面読取部６７が設けられる。第２面読取部６７は、原稿搬送部６に固定的に設けられる（動かない）。第２面読取部６７は、光源、レンズ、イメージセンサーを含む。また、原稿搬送部６には、第２データ生成部６８が設けられる。第２データ生成部６８は、Ａ／Ｄ変換回路を含む。第２データ生成部６８は、第２面読取部６７のイメージセンサーのアナログ出力信号に基づき、他面（裏面）の画像データを生成する。記憶部３は、第２データ生成部６８が生成した画像データを記憶する。第１面読取部７３と第２面読取部６７により、１回の搬送で、原稿の表と裏を読み取ることができる。原稿は、原稿排出ローラー対６５から原稿排出トレイ６６に排出される。
【００２９】
又、図３に示すように、画像読取部７は、筐体内に、第１面読取部７３、ワイヤー７５、巻取ドラム７６を含む。第１面読取部７３は、ワイヤー７５で巻取ドラム７６に接続される。巻取ドラム７６は、正逆回転する巻取モーター７７（図４参照）により回転する。これにより、第１面読取部７３を水平方向（副走査方向）で移動させることができる。載置読取用コンタクトガラス７２上の原稿を読み取る時、第１面読取部７３を水平方向に移動させることにより、読み取りが行われる。又、原稿搬送部６により搬送される原稿を読み取る時、第１面読取部７３は、搬送読取用コンタクトガラス７１の下方で固定される。
【００３０】
原稿搬送部６は、原稿搬送制御部６０を含む。原稿搬送制御部６０は、原稿搬送部６の動作を制御する。原稿搬送制御部６０は、制御部１や読取制御部７０と通信可能に接続される。原稿搬送制御部６０は、ＣＰＵ、ＲＯＭ、ＲＡＭを含む基板である。制御部１や読取制御部７０は、原稿搬送制御部６０に原稿搬送開始の指示を与える。この指示に基づき、原稿搬送制御部６０は、原稿搬送を制御する。
【００３１】
原稿搬送部６には、セット検知部６９が設けられる。セット検知部６９は、原稿トレイ６１に用紙が存在する否かを検知するためのセンサーである。例えば、セット検知部６９は、光センサーである。原稿搬送制御部６０は、セット検知部６９の出力を確認する。原稿搬送制御部６０は、原稿トレイ６１に用紙が存在する否かを検知する。また、原稿搬送制御部６０は、制御部１、読取制御部７０に原稿の有無を通知する。この通知に基づき、制御部１、読取制御部７０は、原稿がセットされているか否かを認識する。原稿トレイ６１にセットされた原稿を読み取るとき、原稿搬送制御部６０は、原稿搬送モーター６１０を駆動させる。原稿供給ローラー６２、原稿搬送ローラー対６４が回転する。原稿は読み取り位置に向けて搬送される。
【００３２】
画像読取部７には、画像読取部７の動作の制御を行う読取制御部７０が設けられる。読取制御部７０は、制御部１からの指示、信号を受け、原稿の読み取りを制御する。読取制御部７０は、ＣＰＵ、メモリーを含む基板である。読取制御部７０は、巻取モーター７７と接続される。読取制御部７０は、巻取モーター７７の回転を制御する。例えば、巻取モーター７７は、パルスモーターである。読取制御部７０は、巻取ドラム７６を回転させる。これにより、第１面読取部７３は水平方向（副走査方向）に移動する。読取制御部７０は、巻取モーター７７を制御する。読取制御部７０は、読み取りに必要な移動量で第１面読取部７３を移動させる。読取制御部７０は、第１面読取部７３の移動を制御する。
【００３３】
読取制御部７０は、ホームポジションセンサー７８と接続される。ホームポジションセンサー７８は第１面読取部７３がホームポジションに到達したことを検知するセンサーである。読取制御部７０は、巻取モーター７７を制御し、原稿読み取りが完了すると第１面読取部７３をホームポジションに戻す。ホームポジションは、載置読取用コンタクトガラス７２と搬送読取用コンタクトガラス７１の間の下方とされる。
【００３４】
（使用者の登録と使用者の認証）
次に、図１を用いて、実施形態に係る複合機１００での使用者の登録と使用者の認証の一例を説明する。
【００３５】
複合機１００は認証機能を有する。認証機能は、複合機１００の使用者を管理する機能である。操作パネル４は、認証機能を用いるか否かの設定を受け付ける。使用者は、認証機能を用いるか否かを選択することができる。認証機能を用いる選択がなされているとき、許可された使用者のみが、複合機１００を利用できる。認証機能を用いない選択がなされているとき、誰でも複合機１００を利用できる。
【００３６】
制御部１は、複合機１００に入力された使用者情報８と記憶部３に予め登録された使用者情報８とが一致するか否かを確認する。制御部１は、一致した使用者情報８に対応する使用者を複合機１００の使用者と認証する。一致するとき、制御部１は、ログインを認める。ログインを認めたとき、制御部１は、操作パネル４をログアウト状態からログイン状態にする。ログイン状態は、操作パネル４が操作受け付け可能な状態である。使用者は、操作パネル４でジョブの設定や実行開始指示を行える。具体的に、ログイン状態では、コピーや送信のようなジョブに関する設定やジョブの実行開始指示を行うことができる。ログイン状態でジョブの実行開始指示がなされたとき（スタートキー４３が操作されたとき）、制御部１はジョブを開始させる。
【００３７】
一致しないとき、制御部１は、ログインを認めない。ログインを認めないとき、制御部１は、操作パネル４をログアウト状態で保つ。ログアウト状態では、制御部１は、使用者情報８の入力を除き、使用者の操作を操作パネル４に受け付けさせない。操作パネル４は、ジョブの設定や実行開始指示を受け付けない。ログアウト状態では、制御部１は、ジョブに関する設定画面を表示パネル４１に表示させない。そのため、ログアウト状態では、ジョブに関する設定を行うことができない。また、ログアウト状態では、操作パネル４にジョブの実行開始指示がなされても、制御部１はジョブ実行部にジョブを開始させない。
【００３８】
使用者の認証のため、予め使用者情報８が記憶部３に登録（記憶）される。操作パネル４を操作することにより、使用者を登録することができる。例えば、複合機１００の管理者が使用者の登録操作を行う。登録された使用者情報８は記憶部３に記憶される（図１参照）。例えば、所定の操作がなされたとき、制御部１は、ソフトウェアキーボード画面を表示パネル４１に表示させる。管理者は、ソフトウェアキーボードを用いて、使用者情報８の各項目を入力する。使用者ごとの入力項目としては、ユーザー名、ログインパスワード、ログインユーザー名、所属部門、アクセスレベル、各種アドレスなどがある。複合機１００の使用を許可する使用者ごとに、各項目への入力がなされる。制御部１は、記憶部３に記憶された使用者情報８を用いて、使用者を認証する。
【００３９】
認証機能を用いる選択がなされているとき、複合機１００を使用するには、認証を受ける必要がある。認証を受けるには（ログインするには）、操作パネル４に、使用者情報８を入力する必要がある。複合機１００では、ログインユーザー名とパスワードの入力が求められる。他種の情報の入力を求めてもよい。使用者は、操作パネル４に表示されたソフトウェアキーボード画面を操作する。タッチパネル４２は、ログインユーザー名とパスワードの入力を受け付ける。タッチパネル４２の出力に基づき、制御部１は、入力されたログインユーザー名とパスワードを認識する。
【００４０】
制御部１は、記憶部３に記憶された使用者情報８と、入力された使用者情報８（ログインユーザー名及びパスワード）を照合する。具体的に、制御部１は、記憶部３に記憶された使用者情報８のうち、入力されたログインユーザー名及びパスワードと一致する使用者を検索する。制御部１は、一致した使用者を複合機１００の使用者と認証する。制御部１は、操作パネル４をログイン状態とする。一致する使用者がいない場合、制御部１は、操作パネル４をログアウト状態で維持する。
【００４１】
制御部１は、操作パネル４を自動的にログアウト状態にする（自動ログアウト）ことがある。例えば、ジョブ完了後、または、操作パネル４に最後に操作がなされてから所定時間が経過したとき、制御部１は、操作パネル４を自動的にログアウト状態にする。
【００４２】
なお、ＩＤカードを利用して使用者の認証が行われてもよい。この場合、各使用者は、ＩＤカードを所持する。使用者のＩＤカードには、自己の使用者情報８が記憶される。複合機１００を使用したい使用者は、カードリーダー１５にＩＤカードを読み取らせる。カードリーダー１５は、ＩＤカードに記憶された使用者情報８を読み出す。制御部１は、記憶部３に記憶された使用者情報８のうち、カードリーダー１５が読み出した使用者情報８と一致する使用者を検索する。制御部１は、一致した使用者を複合機１００の使用者と認証する。制御部１は操作パネル４をログイン状態とする。一致する使用者がいない場合、制御部１は操作パネル４をログアウト状態で維持する。
【００４３】
（読取モードの選択）
次に、図５を用いて、実施形態に係る複合機１００での読取モードの選択の一例を説明する。図５は、実施形態に係る読取モード選択画面９１の一例を示す図である。
【００４４】
複合機１００は、原稿の読み取りに関し、第１先行読取モード、第２先行読取モード、条件付先行読取モード、設定後読取モードの４つのモードを有する。
【００４５】
各先行読取モードは、原稿が原稿トレイ６１にセットされると、原稿の読み取りを開始するモードである。条件付先行読取モードは、予め定められた必要項目の設定値が設定されたとき、原稿の読み取りを開始するモードである。設定後読取モードは、スタートキー４３が操作されると原稿の読み取りを開始するモードである。
【００４６】
必要項目は、原稿の画像データの生成のために必要な項目である。例えば、必要項目は、原稿種別、露光強度、解像度、読取倍率である。これら４つの項目以外の項目を必要項目としてもよい。原稿種別の項目で設定可能な設定値は、文字、写真、文字写真混在である。制御部１は、原稿種別の項目で設定された設定値に応じ、原稿の画像データに施す画像処理を異ならせる。露光強度の項目では、原稿に照射する光量レベルを設定値として選択できる。制御部１は、設定された光量レベルに応じ、第１面読取部７３と第２面読取部６７のランプを点灯させる。解像度の項目では、画像データの解像度を設定値として選択できる。制御部１は、選択された解像度の画像データを画像処理部１２に生成させる。読取倍率の項目では、倍率を設定値として選択できる。制御部１は、選択された倍率の画像データを画像処理部１２に生成させる。
【００４７】
設定後読取モードは、従来の画像形成装置での読み取りに対応する。使用者は、必要な設定を全て行った後、スタートキー４３を操作する。スタートキー４３の操作を認識したとき、制御部１は、原稿の読み取りを読取ユニット２に行わせる。
【００４８】
操作パネル４に所定の操作がなされたとき、制御部１は、読取モード選択画面９１を表示パネル４１に表示させる。読取モード選択画面９１は、第１先行読取モード選択キーＫ１、第２先行読取モード選択キーＫ２、条件付先行読取モード選択キーＫ３、設定後読取モード選択キーＫ４を含む。使用者は、使用したいモードに対応する選択キーを操作する。図５は、第１先行読取モードが選択されている状態を示す。操作パネル４は、原稿読み取りのモードの選択を受け付ける。制御部１は、選択されたモードで読取ユニット２に原稿を読み取らせる。
【００４９】
（先行読取モードでの読み取り）
次に、図６を用いて、実施形態に係る各先行読取モードでの読み取りの流れの一例を説明する。図６は、実施形態に係る各先行読取モードでの読み取りの流れの一例を示すフローチャートである。
【００５０】
図６のスタートは、セット検知部６９の出力に基づき、制御部１が原稿トレイ６１への原稿セットを認識した時点である。
【００５１】
まず、制御部１は、１枚の原稿の搬送を読取ユニット２に開始させる（ステップ♯１１）。認証機能を用いない選択がなされている場合、原稿搬送部６への原稿セットを認識したとき制御部１は、読取ユニット２に原稿の読み取りを開始させる。認証機能を用いる選択がなされている場合、使用者認証済の状態（ログイン状態）のとき、原稿搬送部６への原稿セットを認識した時点で、制御部１は、読取ユニット２に原稿の読み取りを開始させる。認証機能を用いる選択がなされている場合、使用者未認証の状態（ログアウト状態）のとき、制御部１が使用者を認証した時点で、制御部１は、読取ユニット２に原稿の読み取りを開始させる。
【００５２】
制御部１は、１枚の原稿を読取ユニット２に読み取らせ、画像データを生成させる（ステップ♯１２）。先行読取の時点では、ジョブで原稿の両面を使用するか片面を使用するか不明である。そこで、制御部１は、セットされた原稿の両面を読取ユニット２に読み取らせる。そして、制御部１は、原稿の両面の画像データを先読画像データＤ１として読取ユニット２に生成させる。また、先行読取の時点では、ジョブに使用する画像データの解像度は不明である。そこで、制御部１は、セットされた原稿の両面を最高解像度で読取ユニット２に読み取らせる。そして、制御部１は、原稿の両面の最高解像度の画像データを先読画像データＤ１として読取ユニット２に生成させる。また、先行読取の時点では、ジョブにカラーの画像データを使用するか、モノクロの画像データを使用するか不明である。そこで、制御部１は、セットされた原稿の両面をカラーで読取ユニット２に読み取らせる。そして、制御部１は、原稿の両面のカラーの画像データを先読画像データＤ１として読取ユニット２に生成させる。
【００５３】
制御部１は、読取ユニット２で生成された表面（一面）のページと裏面（他面）のページの画像データ（先読画像データＤ１）を記憶部３に記憶させる（ステップ♯１３、図１参照）。そして、制御部１は、全原稿の読み取りが完了したか否かを確認する（ステップ♯１４）。具体的に、制御部１は、セット検知部６９が原稿なしを検知したか否かを確認する。セット検知部６９が原稿なしと検知しているとき、制御部１は、全原稿読み取り完了と判定する。セット検知部６９が原稿有りを検知しているとき、制御部１は、全原稿の読み取りが未完了と判定する。
【００５４】
全原稿の読み取りが完了したとき（ステップ♯１４のＹｅｓ）、本フローは終了する（エンド）。全原稿の読み取りが未完了のとき（ステップ♯１４のＮｏ）、フローは、ステップ♯１１に戻る。
【００５５】
（第１先行読取モードでの操作）
次に、図７〜図１０を用いて、実施形態に係る第１先行読取モードでの処理の流れの一例を説明する。図７は、実施形態に係る第１先行読取モードでの操作の流れの一例を示すフローチャートである。図８は、実施形態に係る文書一覧画面９２の一例を示す図である。図９は、実施形態に係るボックス機能画面９３の一例を示す図である。図１０は、実施形態に係るプリントジョブの設定画面９４の一例を示す図である。
【００５６】
複合機１００はボックス機能を有する。ボックス機能は、記憶部３に記憶された画像データを利用する機能である。実行できるジョブとしては、印刷、送信、ファクシミリ送信がある。他の処理を行えてもよい。第１先行読取モードで先行読取がなされたとき、制御部１は、ボックス機能に関する画面を表示させる。使用者は、ボックス機能を利用する感覚でジョブの設定を行うことができる。
【００５７】
図７のスタートは、第１先行読取モードでの先行読取が開始された時点である。まず、制御部１は、予め定められた画面以外の画面への遷移を禁止する（ステップ♯２１）。予め定められた画面は、文書一覧画面９２、ボックス機能画面９３、先読画像データＤ１を用いるジョブの設定画面である。制御部１は、先読画像データＤ１を用いるジョブと関係の無い操作を規制する。例えば、システムに関する設定画面（システムメニュー画面）への遷移が禁止される。
【００５８】
次に、制御部１は、文書一覧画面９２を表示パネル４１に表示させる（ステップ♯２２）。文書一覧画面９２は、切替表示領域Ｆ１に表示される。図８は、文書一覧画面９２の一例を示す図である。文書一覧画面９２は、ジョブに用いる文書を選択するための画面である。文書一覧画面９２には、記憶部３に記憶されている文書に対応する選択欄が表示される。選択欄内には文書名が含まれる。フリック操作によるスクロールにより、他の文書の選択欄を表示させることもできる。なお、認証機能を用いる選択がなされているとき、制御部１は、認証を受けている（ログイン中）の使用者が利用可能な文書の選択欄のみを文書一覧画面９２内に表示させる。ジョブに用いる文書を選択するとき、使用者は、選択欄を操作（タッチ）する。制御部１は、操作された選択欄に対応する文書を、選択された文書と認識する。
【００５９】
図８に示すように、先行読取を行ったとき、制御部１は、文書一覧画面９２内にテンポラリー文書選択欄Ｃ１を自動的に追加する。テンポラリー文書選択欄Ｃ１は、先行読取で生成された画像データ（先読画像データＤ１）と対応する。
【００６０】
先行読取を行った場合、文書一覧画面９２では、テンポラリー文書以外は選択できない。先読画像データＤ１を用いるジョブと関係の無い操作を規制するためである。図８は、制御部１がテンポラリー文書以外の文書の選択欄をグレーアウト表示させている例を示す。制御部１は、テンポラリー文書以外の文書の選択欄を表示パネル４１に表示させないようにしてもよい。
【００６１】
なお、通常のボックス機能の利用のとき、制御部１は、文書一覧画面９２を表示パネル４１に表示させる。つまり、先行読取せずにボックス機能を利用する操作が操作パネル４なされたとき、制御部１は、文書一覧画面９２を表示パネル４１に表示させる。通常のボックス機能の利用のとき、文書を任意に選択することができる。
【００６２】
その結果、操作パネル４は、先行読取に対応する文書（テンポラリー文書選択欄Ｃ１）の選択を受け付ける（ステップ♯２３）。そして、制御部１は、ボックス機能画面９３を表示パネル４１に表示させる（ステップ♯２４）。ボックス機能画面９３も、切替表示領域Ｆ１に表示される。図９は、ボックス機能画面９３の一例を示す。操作パネル４は、ボックス機能画面９３での各種操作を受け付ける（ステップ♯２５）。
【００６３】
制御部１は、ボックス機能画面９３内に、１又は複数枚のページ画像Ｐ１を表示させる。ページ画像Ｐ１は、先読画像データＤ１（選択した文書）に含まれる各ページを縮小した画像である。制御部１（画像処理部１２）は、先読画像データＤ１に含まれる各ページの画像データを縮小する。制御部１は、各ページの縮小画像データを生成する。制御部１は、各ページの縮小画像データに基づき、ページ画像Ｐ１を表示させる。
【００６４】
制御部１は、上下２列にページ画像Ｐ１を並べて表示させる。制御部１は、原稿の一面（表）のページのページ画像Ｐ１を上側の列に表示させる。制御部１は、原稿の他面（裏）のページのページ画像Ｐ１を下側の列に表示させる。制御部１は、ｎ枚目の原稿のページのページ画像Ｐ１を左からｎ列目に表示させる。例えば、列の最も左側の縮小画像データは、１枚目の原稿のページ画像Ｐ１となる。
【００６５】
図９は、原稿５枚分（１０ページ分）のページ画像Ｐ１を表示する例を示している。原稿の枚数が表示可能な枚数よりも多い場合、左右方向のフリック操作によって、他のページのページ画像Ｐ１を表示させることもできる。
【００６６】
ここで、原稿束に不要な用紙が紛れ込むことがある。そこで、操作パネル４はページ画像Ｐ１を選択する操作を受け付ける。言い換えると、操作パネル４は、不要なページを外す操作を受け付ける。
【００６７】
図９は、全てのページが選択されている状態を示す。ページ画像Ｐ１をタッチすることにより、ページの選択、未選択を切り替えることができる。制御部１は、選択されているページのページ画像Ｐ１の近傍にマークを表示させる。図９の例では、感嘆符付の丸が当該マークである。制御部１は、未選択のページには、当該マークを表示させない。制御部１は、先読画像データＤ１のうち、選択されたページ画像Ｐ１に対応するページの画像データに基づき、ジョブ実行部にジョブを実行させる。
【００６８】
また、先行読取のとき、原稿の両面が読み取られる。しかし、原稿の両面を用いてジョブを実行するとは限らない。例えば、紙資源節約のため、裏紙を用いて印刷することがある。裏紙とは、一面が印刷済であり、他面が白紙の用紙である。裏紙を原稿とする場合、一方の面のみを用いてジョブを行いたい場合がある。
【００６９】
そこで、ボックス機能画面９３には、一面削除ボタンＢ１と他面削除ボタンＢ２が設けられる。そして、一面削除ボタンＢ１が操作されたとき、制御部１は、先読画像データＤ１のうち、原稿の一面（表面）の画像データを記憶部３に削除させる。また、他面削除ボタンＢ２が操作されたとき、制御部１は、先読画像データＤ１のうち、原稿の他面（裏面）の画像データを記憶部３に削除させる。これにより、不要な面の画像データを一括削除することができる。
【００７０】
次に、制御部１は、ジョブの種類が選択されたか否かの確認を続ける（ステップ♯２６、ステップ♯２６のＮｏ→ステップ♯２５）。ジョブの種類が選択されたとき（ステップ♯２６のＹｅｓ）、制御部１は、選択されたジョブの種類（操作された種類選択画像ｉ１）に対応するジョブの設定画面を表示パネル４１に表示させる（ステップ♯２７→エンド）。ジョブの設定画面を表示した後の処理の流れの詳細は後述する。
【００７１】
図９に示すように、制御部１は、ボックス機能画面９３内に種類選択画像ｉ１を表示させる。種類選択画像ｉ１は、先読画像データＤ１を用いて実行するジョブの種類を選択するための画像である。図９は、印刷アイコン、送信アイコン、ファクシミリアイコン、保存アイコンの４つを種類選択画像ｉ１として表示する例を示している。
【００７２】
印刷アイコンが操作されたとき、制御部１は、印刷ジョブが選択されたと認識する。印刷ジョブが設定されたとき、制御部１は、印刷ジョブに対応する設定画面９４を表示パネル４１に表示させる。図１０は、印刷ジョブに対応する設定画面９４の一例を示す。先読画像データＤ１の印刷は、原稿の複写である。そのため、図１０は、コピーの設定画面と同様の画面である。
【００７３】
また、送信アイコンが操作されたとき、制御部１は、送信ジョブが選択されたと認識する。送信ジョブが設定されたとき、制御部１は、送信ジョブに対応する設定画面を表示パネル４１に表示させる。送信ジョブに対応する設定画面の図示は省略する。また、ファクシミリアイコンが操作されたとき、制御部１は、ファクシミリ送信ジョブが選択されたと認識する。ファクシミリ送信ジョブが設定されたとき、制御部１は、ファクシミリ送信ジョブに対応する設定画面を表示パネル４１に表示させる。ファクシミリ送信ジョブに対応する設定画面の図示は省略する。
【００７４】
また、保存アイコンが操作されたとき、制御部１は、保存ジョブが選択されたと認識する。保存ジョブが設定されたとき、制御部１は、保存ジョブに対応する設定画面を表示パネル４１に表示させる。保存ジョブに対応する設定画面の図示は省略する。
【００７５】
（第２先行読取モードでの操作）
次に、図１１、図１２を用いて、実施形態に係る第２先行読取モードでの処理の流れの一例を説明する。図１１は、実施形態に係る第２先行読取モードでの操作の流れの一例を示すフローチャートである。図１２は、実施形態に係るジョブ種類選択画面９５の一例を示す図である。
【００７６】
図１１のスタートは、第２先行読取モードでの先行読取が開始された時点である。第２先行読取モードでも、制御部１は、予め定められた画面以外の画面への遷移を禁止する（ステップ♯３１）。予め定められた画面は、ジョブ種類選択画面９５、先読画像データＤ１を用いるジョブの設定画面である。
【００７７】
次に、制御部１は、ジョブ種類選択画面９５を表示させる（ステップ♯３２）。ジョブ種類選択画面９５は、切替表示領域Ｆ１に表示される。図１２は、ジョブ種類選択画面９５の一例を示す図である。制御部１は、ジョブの種類が選択されたか否かの確認を続ける（ステップ♯３３、ステップ♯３３のＮｏ→ステップ♯３２）。ジョブの種類が選択されたとき（ステップ♯３３のＹｅｓ）、制御部１は、選択されたジョブの種類（操作された種類選択画像ｉ１）に対応するジョブの設定画面を表示パネル４１に表示させる（ステップ♯３４→エンド）。ジョブの設定画面を表示した後の処理の流れの詳細は後述する。
【００７８】
図１２の上方の図に示すように、制御部１は、ジョブ種類選択画面９５内に種類選択画像ｉ２を表示させる。種類選択画像ｉ２は、先読画像データＤ１を用いて実行するジョブの種類を選択するための画像である。図１２は、印刷アイコン、送信アイコン、ファクシミリアイコン、保存アイコンの４つを種類選択画像ｉ１として表示する例を示している。図１２では、ボックス機能画面９３内に表示される種類選択画像ｉ１と同様の画像を表示する例を示している。ジョブ種類選択画面９５内の種類選択画像ｉ２は、ボックス機能画面９３内に表示される種類選択画像ｉ１と異なっていてもよい。
【００７９】
印刷アイコンが操作されたとき、制御部１は、印刷ジョブが選択されたと認識する。印刷ジョブが設定されたとき、制御部１は、印刷ジョブに対応する設定画面９４を表示パネル４１に表示させる。図１２の下方の図は、印刷ジョブに対応する設定画面９４の一例を示す。先読画像データＤ１の印刷は、原稿の複写である。そのため、図１２の下方の図は、コピーの設定画面と同様の画面である。
【００８０】
また、送信アイコンが操作されたとき、制御部１は、送信ジョブが選択されたと認識する。送信ジョブが設定されたとき、制御部１は、送信ジョブに対応する設定画面を表示パネル４１に表示させる。送信ジョブに対応する設定画面の図示は省略する。ファクシミリアイコンが操作されたとき、制御部１は、ファクシミリ送信ジョブが選択されたと認識する。ファクシミリ送信ジョブが設定されたとき、制御部１は、ファクシミリ送信ジョブに対応する設定画面を表示パネル４１に表示させる。ファクシミリ送信ジョブに対応する設定画面の図示は省略する。保存アイコンが操作されたとき、制御部１は、保存ジョブが選択されたと認識する。保存ジョブが設定されたとき、制御部１は、保存ジョブに対応する設定画面を表示パネル４１に表示させる。保存ジョブに対応する設定画面の図示は省略する。
【００８１】
第２先行読取モードのフローチャートでは、第１先行読取モードのフローチャートのうち、ステップ♯２２〜ステップ♯２５がスキップされている。そのため、第２先行読取モードは、第１先行読取モードでのボックス機能に関する画面の表示をスキップしたモードといえる。
【００８２】
（各先行読取モードでの設定）
次に、図１３を用いて、実施形態に係る複合機１００での各先行読取モードでの設定の流れの一例を説明する。図１３は、実施形態に係る複合機１００での各先行読取モードでの設定の流れの一例を示すフローチャートである。
【００８３】
図１３は、種類選択画像ｉ１又は種類選択画像ｉ２への操作により、選択されたジョブの種類に対応するジョブの設定画面を表示パネル４１に表示した時点である。
【００８４】
まず、操作パネル４は、設定画面での設定を受け付ける（ステップ♯４１）。印刷ジョブが選択された場合、操作パネル４は、印刷に関する設定を受け付ける。送信ジョブが選択された場合、送信に関する設定を受け付ける。ファクシミリ送信ジョブが選択された場合、ファクシミリ送信に関する設定を受け付ける。保存ジョブが選択された場合、文書保存に関する設定を受け付ける。例えば、ジョブの各設定画面では、宛先や用紙サイズの設定値を設定することができる。また、ジョブに用いる画像データの解像度を設定することができる。ジョブにカラーの画像データを用いるか、モノクロの画像データを用いるかを設定することができる。
【００８５】
そして、制御部１は、ジョブの実行開始指示がなされたか否かを確認する（ステップ♯４２、ステップ♯４２のＮｏ→ステップ♯４１）。スタートキー４３が操作されたとき、制御部１はジョブの実行開始指示がなされたと認識する。ジョブの実行開始指示がなされたとき（ステップ♯４２のＹｅｓ）、設定画面で設定された設定値に基づき、制御部１（画像処理部１２）は、ジョブに用いる画像データを生成する（ステップ♯４３）。例えば、画像処理部１２は、設定された解像度に応じた画像データを生成する。また、画像処理部１２は、設定された色（カラー、モノクロ）に応じた画像データを生成する。
【００８６】
そして、制御部１は、生成した画像データに基づくジョブをジョブ実行部に実行させる（ステップ♯４４）。印刷ジョブが選択された場合、制御部１は、画像データに基づき、印刷部５に印刷を行わせる。この場合、印刷部５がジョブ実行部として機能する。送信ジョブが選択された場合、制御部１は、通信部１４に画像データの送信を行わせる。この場合、通信部１４がジョブ実行部として機能する。ファクシミリ送信ジョブが選択された場合、制御部１は、ファクシミリ規格に基づき、通信部１４に画像データのファクシミリ送信を行わせる。この場合、通信部１４がジョブ実行部として機能する。保存ジョブが選択された場合、制御部１は、記憶部３に先読画像データＤ１を文書として不揮発的に記憶させる。この場合、記憶部３がジョブ実行部として機能する。
【００８７】
ジョブの開始後、制御部１は、予め定められた画面以外の画面への遷移禁止を解除する（ステップ♯４５）。これにより、使用者は操作パネル４を操作し、所望の画面に遷移できる。そして、本フローは終了する。
【００８８】
（先読画像データＤ１の自動削除）
次に、図１４を用いて、実施形態に係る複合機１００での先読画像データＤ１の自動削除の流れの一例を説明する。図１４は、実施形態に係る複合機１００での先読画像データＤ１の自動削除の流れの一例を示すフローチャートである。
【００８９】
第１先行読取モード又は第２先行読取モードが選択されている場合、先行読取が開始されたとき、制御部１は、予め定められた画面以外の画面への遷移を禁止する（ステップ♯２１、ステップ♯３１）。
【００９０】
しかし、先行読取を行ったものの、都合や呼び出しにより、使用者が複合機１００から離れる場合がある。先行読取を行った場合、予め定められた画面以外の画面への遷移が禁止されるので、他の使用者が複合機１００を用いられない。先行読取を行ったものの、ジョブを取りやめたい場合もあり得る。先行読取後、必ず先読画像データＤ１に基づくジョブを実行するとは限らない。
【００９１】
そこで、制御部１は、禁止を解除すべきか否かを判定する。言い換えると、制御部１は、先行読取モードを解除すべきか否かを判定する。解除すべきと判定した場合、制御部１は、不要な先読画像データＤ１を自動的に削除する。以下、図１４を用いて、処理の流れを説明する。
【００９２】
図１４のスタートは、先行読取を開始した時点である。言い換えると、図１４のスタートは、予め定められた画面以外の画面への遷移の禁止を開始した時点である。まず、制御部１は、解除条件が満たされたか否かを判定する（ステップ♯５１）。解除条件は予め定められる。解除条件は、複数としてもよい。
【００９３】
例えば、キャンセルキー４４が操作されたとき、制御部１は、解除条件が満たされたと判定する。キャンセルキー４４は、操作パネル４（表示パネル４１）に設けられる（図２参照）。先行読取をしたものの、先読画像データＤ１に基づくジョブを行いたくないとき、使用者はキャンセルキー４４を操作すればよい。
【００９４】
また、操作パネル４への操作がなされていない時間が予め定められた自動リセット時間Ｔ１続いたとき、制御部１は、解除条件が満たされたと判定してもよい。制御部１（タイマー１３）は、操作パネル４への操作がなされていない時間をカウントする（図１参照）。制御部１は、タッチパネル４２へのタッチがあったとき、カウント時間をゼロにリセットする。カウント時間の最初の起算点は、先行読取が開始された時点である。タッチパネル４２がタッチされた時点が新たな起算点となる。先行読取後、操作のないまま複合機１００（操作パネル４）が放置されたとき、制御部１は解除条件が満たされたと判定する。
【００９５】
自動リセット時間Ｔ１は、操作パネル４で設定することができる。記憶部３は、設定された自動リセット時間Ｔ１を不揮発的に記憶する（図１参照）。例えば、十数秒〜数分の範囲で自動リセット時間Ｔ１を定めることができる。カウント時間が自動リセット時間Ｔ１になったとき、制御部１は、自動リセット処理を行う。自動リセット処理のとき、制御部１は、ジョブに関する全ての設定値をデフォルト値にリセットする。各設定値のデフォルト値は、記憶部３に不揮発的に記憶されている（図１参照）。また、自動リセット処理のとき、制御部１は、予め定められた初期画面を表示パネル４１に表示させる。
【００９６】
なお、認証機能を用いる選択がなされているとき、カウント時間が自動リセット時間Ｔ１になったとき、制御部１は、自動ログアウト処理を行ってもよい。自動ログアウト処理のときも、制御部１は、ジョブに関する全ての設定値をリセットする。また、自動ログアウト処理のとき、制御部１は、予め定められたログイン用画面（使用者情報８を入力するための画面）を表示パネル４１に表示させる。そして、制御部１は、操作パネル４をログアウト状態にする。
【００９７】
解除条件未充足と判定したとき（ステップ♯５１のＮｏ）、制御部１は、先読画像データＤ１に基づくジョブが開始されたか否かを確認する（ステップ♯５２）。ジョブが開始されたとき（ステップ♯５２のＹｅｓ）、制御部１は、遷移禁止を解除する（ステップ♯４５、図１３）。そのため、ジョブが開始されたとき（ステップ♯５２のＹｅｓ）、本フローは終了する（エンド）。ジョブが開始されていないとき（ステップ♯５２のＮｏ）、フローは、ステップ♯５１に戻る。
【００９８】
解除条件が満たされたと判定したとき（ステップ♯５１のＹｅｓ）、制御部１は、予め定められた画面以外の画面への遷移禁止を解除する（ステップ♯５３）。不要なデータを減らすため、制御部１は、先読画像データＤ１を記憶部３に消去させる（ステップ♯５４）。そして、本フローは終了する。
【００９９】
このようにして、実施形態に係る画像形成装置は、読取ユニット２、セット検知部６９、表示パネル４１、操作部、記憶部３、制御部１、ジョブ実行部を含む。読取ユニット２は、セットされた原稿を順次読み取り、画像データを生成する。セット検知部６９は、原稿のセットを検知する。表示パネル４１は、画面、画像を表示する。操作部は、使用者の操作を受け付ける。記憶部３は、データを記憶する。制御部１は制御を行う。ジョブ実行部はジョブを実行する。セット検知部６９の出力に基づき、制御部１が読取ユニット２への原稿セットを認識したとき、制御部１は、読取ユニット２にセットされた原稿を読み取る先行読取を読取ユニット２に行わせる。制御部１は、先行読取により得られた画像データである先読画像データＤ１を記憶部３に記憶させる。操作部は、先行読取の開始後、先読画像データＤ１を用いて実行するジョブの種類を選択する操作を受け付ける。制御部１は、操作部で選択されたジョブの種類に応じた設定画面を表示パネル４１に表示させる。操作部がジョブの実行開始指示を受け付けたとき、制御部１は、先読画像データＤ１に基づくジョブをジョブ実行部に実行させる。
【０１００】
これにより、ジョブに関する設定を行う前、又は、設定中に原稿の読み取りが実行される。原稿読み取りの待ち時間を減らすことができる。可能な限りジョブの実行開始時点を早めることができる。使用者は通常どおり設定を行えばよい。操作は複雑にならない。
【０１０１】
また、先行読取が開始されたとき、制御部１は、画像データとして記憶部３に記憶された文書を並べた文書一覧画面９２を表示パネル４１に表示させる（第１先行読取モード）。文書一覧画面９２で先行読取に対応する文書が選択されたとき、制御部１は、ボックス機能画面９３を表示パネル４１に表示させ、ボックス機能画面９３内に、先読画像データＤ１に含まれる各ページを縮小したページ画像Ｐ１を１又は複数枚、表示させる。これにより、原稿読み取りを伴う全てのジョブを、ボックス機能画面９３を経由して行うことができる。コピーや送信のような機能の入り口画面を排することができる。従来よりも設定操作が簡易になる。また従来とは異なる操作感を提供することができる。使用者は、コピー、送信、ボックスのように、機能ごとに設定操作を覚える必要がない。ボックス機能関連の設定操作にのみ習熟すればよい。
【０１０２】
また、制御部１は、ボックス機能画面９３内に先読画像データＤ１を用いて実行するジョブの種類を選択するための種類選択画像ｉ１を表示させる。また、制御部１は、操作された種類選択画像ｉ１に対応するジョブの設定画面を表示パネル４１に表示させる。これにより、ボックス機能画面９３において、先読画像データＤ１に基づきどのようなジョブを行うかを容易に選択することができる。
【０１０３】
また、先行読取に基づき文書一覧画面９２を表示するとき、操作パネル４は、先行読取に基づく文書以外の文書の選択を受け付けない。これにより、先行読取を行った場合、先読画像データＤ１のみ選択されるように制限することができる。先行読取と関係が無い文書を選択できないようにすることができる。先行読取した原稿に関する処理を先に行わせることができる。
【０１０４】
また、操作パネル４はページ画像Ｐ１を選択する操作を受け付ける。制御部１は、先読画像データＤ１のうち、選択されたページ画像Ｐ１に対応するページの画像データに基づき、ジョブ実行部にジョブを実行させる。これにより、ジョブに使用したいページの画像データを選択することができる。不要なページの画像データを含まないように、ジョブを実行することができる。
【０１０５】
また、先行読取が開始されたとき、制御部１は、先読画像データＤ１を用いて実行するジョブの種類を選択するためのジョブ種類選択画面９５を表示パネル４１に表示させてもよい（第２先行読取モード）。制御部１は、操作部で選択されたジョブの種類に応じた設定画面を表示パネル４１に表示させる。これにより、ジョブの種類を選択するだけで、先読画像データＤ１を用いるジョブに関する設定値の設定を開始することができる。
【０１０６】
また、先行読取の開始後、操作部で選択された種類のジョブの開始までの間、制御部１は、先読画像データＤ１を用いるジョブの設定画面以外の画面の表示を禁止する。これにより、先読画像データＤ１を用いたジョブと関係のない画面の表示を制限することができる。先行読取した原稿に関する処理が先に行われるように、仕向けることができる。
【０１０７】
また、制御部１は、禁止の解除に関する解除条件が満たされたか否かを判定する。解除条件が満たされたと判定したとき、制御部１は禁止を解除し、先読画像データＤ１を記憶部３に消去させる。これにより、先行読取されたものの、使用されない先読画像データＤ１を自動的に削除することができる。不要な画像データで記憶領域が圧迫されることを防ぐことができる。
【０１０８】
原稿の両面に情報が記載されている場合がある。この場合、原稿の表面と裏面の両方の画像データをジョブに用いたい場合がある。そこで、先行読取のとき、読取ユニット２は、セットされた原稿の両面を読み取り、原稿の両面の画像データを先読画像データＤ１として生成する。これにより、原稿の表面と裏面の両方の画像データをジョブに用いることができる。
【０１０９】
近年、資源の有効活用の観点から印刷に裏紙を用いることがある。裏紙は、片面印刷済の用紙である。未印刷面が使用される。例えば、印刷ミスのあった片面印刷済用紙が裏紙に用いられる。また、不要になった片面印刷済用紙が裏紙に用いられることもある。裏紙を原稿とする場合、原稿の一方側のみをジョブで使用したい場合がある。両面のうち、不要な面側の画像データをジョブで使用したくない場合がある。そこで、原稿の一面側の画像データを削除する操作が操作パネル４になされたとき、制御部１は、先読画像データＤ１のうち、原稿の一面側の画像データの削除を記憶部３に行わせる。原稿の他面側の画像データを削除する操作が操作パネル４になされたとき、制御部１は、先読画像データＤ１のうち、原稿の他面側の画像データの削除を記憶部３に行わせる。これにより、簡易な操作で、原稿の一面側又は他面側の画像データを一括削除することができる。不要なページの画像データがジョブで使用されることを防ぐことができる。
【０１１０】
以上、本発明の実施形態を説明したが、本発明の範囲はこれに限定されず、発明の主旨を逸脱しない範囲で種々の変更を加えて実施することができる。
【産業上の利用可能性】
【０１１１】
本発明は、読取ユニットを備えた画像形成装置に利用可能である。
【符号の説明】
【０１１２】
１００  複合機（画像形成装置）        １      制御部
１４    通信部（ジョブ実行部）        ２      読取ユニット
３      記憶部（ジョブ実行部）        ４１    表示パネル
４２    タッチパネル（操作部）        ５      印刷部（ジョブ実行部）
６９    セット検知部                  ９２    文書一覧画面
９３    ボックス機能画面              ９５    ジョブ種類選択画面
ｉ１    種類選択画像                  ｉ２    種類選択画像
Ｐ１    ページ画像
【図１】
2019009689.tif 000003
【図２】
2019009689.tif 000004
【図３】
2019009689.tif 000005
【図４】
2019009689.tif 000006
【図５】
2019009689.tif 000007
【図６】
2019009689.tif 000008
【図７】
2019009689.tif 000009
【図８】
2019009689.tif 000010
【図９】
2019009689.tif 000011
【図１０】
2019009689.tif 000012
【図１１】
2019009689.tif 000013
【図１２】
2019009689.tif 000014
【図１３】
2019009689.tif 000015
【図１４】
2019009689.tif 000016